(57)【要約】【課題】ユーザーの持つデータ処理に関する要求を実現するデータ処理システムを、インターネット上で簡単に構築できるようにする。【解決手段】インターネット４にレンタル用のハードウエア処理装置１６，６，８，１０を複数接続し、各々のハードウエア処理装置にはホームページを設け、このホームページにハードウエア処理装置の機能を表示する特殊タグ１２を記述する。インターネット４に接続された検索・分配エンジン２はユーザーの機能に関する要求に基づいてインターネット４上の特殊タグ１２を検索しタグ１２からユーザーの要求を実現するハードウエア処理装置を選択してインターネット４上で一つまたは複数のハードウエア処理装置から構成されるデータ処理システムを構築する。【選択図】  図１
2004164366.tif 000002
【特許請求の範囲】
【請求項１】
機能を表示する特殊タグを付けてインターネットに複数接続するレンタル用のハードウエア処理装置と、ユーザーの機能に関する要求に基づいてインターネット上の特殊タグを検索し前記特殊タグからユーザーの要求を実現するハードウエア処理装置を選択してインターネット上で一つまたは複数のハードウエア処理装置から構成されるデータ処理システムを構築する検索・分配エンジンとから成ることを特徴とするデータ処理システム。
【請求項２】
機能を示す特殊タグは、前記ハードウエア処理装置ごとに作られたホームページ上に記述されていることを特徴とする「請求項１」に記載のデータ処理システム。
【請求項３】
前記検索・分配エンジンがユーザーに対する課金機能を備えていることを特徴とする「請求項１」に記載のデータ処理システム。
【発明の詳細な説明】
【０００１】
【発明の属する技術分野】
本発明はインターネットを利用したデータ処理システムに関する。
【０００２】
【従来の技術】
従来、ソフトウエアのレンタルサービスを提供するサイトに関するシステムが特開２００２−２３０２０８号公報に開示されている。また、特開２００２−２３０４４５号公報には衛星通信を用いた情報レンタルシステムが開示されている。その他、インターネットを介してソフトウエアをレンタルするシステムが特開２００２−４２０１４号公報に開示されている。
【０００３】
【発明が解決しようとする課題】
従来、ソフトウエアについては、インターネット上のレンタルシステムが広く知られている。しかるに、コンピュータクラスタリングシステムや浮動小数点演算装置などの高価なハードウエア処理装置をレンタルで使用する場合には、レンタル会社との個別の契約により、３年あるいは５年等の長期のレンタル期間を設定することが一般的である。
【０００４】
そのため、このような高価なハードウエア処理装置を簡単に利用することができないという問題点がある。また、例えばフーリエ変換とグラフィック表示の両方のデータ処理が必要なときには、フーリエ変換装置とグラフィック表示装置の２つのハードウエア装置を準備し、両方を接続してシステムを構築しなければならず、コスト高となるとともにシステム構築に手間がかかるという問題点がある。
本発明は上記問題点を解決することを目的とするものである。
【０００５】
【課題を解決するための手段】
上記目的を達成するため本発明は、機能を表示する特殊タグを付けてインターネットに複数接続するレンタル用のハードウエア処理装置と、ユーザーの機能に関する要求に基づいてインターネット上の特殊タグを検索し前記特殊タグからユーザーの要求を実現するハードウエア処理装置を選択してインターネット上で一つまたは複数のハードウエア処理装置から構成されるデータ処理システムを構築する検索・分配エンジンとから成るものである。
また本発明は、機能を示すタグは、前記ハードウエア処理装置ごとに作られたホームページ上に記述されているものである。
また本発明は、前記検索・分配エンジンがユーザーに対する課金機能を備えているものである。
【０００６】
【発明の実施の形態】
以下に本発明の実施の形態を添付した図面を参照して詳細に説明する。
図１において、符号２はインターネット４に接続するサーバに格納された検索・分配エンジンであり、本レンタルシステムの主催者により提供される。この検索・分配エンジン２は、インターネット４に接続する各サーバのホームページに付いている特殊な機能表示タグを検索する機能と、ユーザーからの要求に基づいて各種のハードウエア処理装置例えばクラスタリングシステム、ハードウエア浮動小数点演算装置、高速フーリエ変換装置、シストリック・アレイ装置やデータベース装置などを選択し、ネットワーク上でデータ処理システムを構築する機能を備えている。
【０００７】
本レンタルシステムの主催者は、ホームページや他の宣伝媒体を用いて、本レンタルシステムの参加者を募集する。ハードウエアやソフトウエアを所有しこれらのレンタルを希望する者は、自己のホームページに自己の所有するハードウエアやソフトウエアの作用を特殊なタグに記述し、このホームページを通じて自己の所有するハードウエアやソフトウエアをインターネットに接続することで、本レンタルシステムに参加することができる。６，８，１０は、本レンタルシステムの参加者の所有する、インターネット４に接続するレンタル用のエンジン即ち上記クラスタリングシステム、ハードウエア浮動小数点演算装置、高速フーリエ変換装置、シストリック・アレイ装置等であり、それぞれにホームペーシが構築されている。各レンタルエンジン６，８，１０のホームページには、それぞれのレンタルエンジン６．８，１０の機能を示す特殊なタグ１２が記述されている。
【０００８】
１４は本レンタルシステムの参加者の所有する、レンタル用のデータベース装置であり、これのホームページにも、格納されているソフトウエアの機能を示す特殊なタグが記述されている。１６は本レンタルシステムの参加者の所有する、各種のレンタル用のエンジンを処理するためのハードウエア処理装置であり、コンピュータにより構成され、Ｗｅｂサーバを通じてインターネット４に接続している。処理装置１６にもホームページを通じてその機能を示す特殊なタグ１２が設けられている。
【０００９】
次に本実施形態の動作について説明する。
インターネット４上に接続するユーザーから端末１６，１８を介して、検索・分配エンジン２のホームページにアクセスがあり、ユーザーから機能のレンタル要求が入ると、検索・分配エンジン２は、図２に示す、入出力部２２を通じてユーザー要求受取部２４がユーザーの要求を受け取る。
【００１０】
次にタグ検出部２６はインターネット４上の各サーバのホームページの特殊タグを検索し、これによってユーザーの要求に適合するハードウエア処理装置１６とレンタルエンジン６，８，１０を検索する。今、ユーザーの要求に基づいて、システム構成部２４が働き、レンタル処理装置１６，レンタルエンジン６，８，１０が選択されたものと仮定する。
【００１１】
このシステム構成部２４の選択により、検索・分配エンジン２は、ユーザーの要求を実現する、レンタルハードウエア処理装置１６、レンタルエンジン６，８，１０から成るデータ処理システムをインターネット上で構築する。このデータ処理システムは、システムデータ表示部２８によって検索・分配エンジン２のホームページ２０上に表示される。
【００１２】
ユーザーは、ホームページ２０上に表示されたシステム構築データに基づいて所望のハードウエア処理装置を指定することもできる。検索・分配エンジン２は、ユーザーからデータ処理のサンプル処理結果をユーザーに渡す。結果が良ければ、検索・分配エンジン２は、課金処理部３０によって課金をセットし、データ処理に移行する。
【００１３】
次に、ユーザーがインターネット４を通じて検索・分配エンジン２のホームページ２０にデータを送ると、システム制御部３２は、このデータをレンタル処理装置１６に送る。レンタル処理装置１６は、ユーザーの端末１６，１８からのデータに基づいて、レンタルエンジン６，８，１０をインターネット４を通じて制御し、データ処理を行う。
【００１４】
選択されたデータ処理システムにより処理されたデータの結果は、インターネット４を通じてユーザーの端末１６，１８に送られる。上記の如くデータ処理が開始されると、課金処理部３０によりユーザーに対する課金がスタートし、ユーザーが結果を受け取った段階で課金が終了する。
【００１５】
図３は、ユーザーの、フーリエ変換とグラフィック表示という要求に基づいて、検索・分配エンジン２が高速フーリエ変換装置３４とグラフィック表示装置３６を選択し、データ処理システムを構築したときのシステム構成図を示している。
【００１６】
ハードウエア処理装置である高速フーリエ変換装置３４とグラフィック表示装置３６のフーリエ変換とグラフィック表示という機能は、それぞれのホームページのタグ１２，１２によって表示される。このタグは検索・分配エンジン２のタグ検索部２６によって検索され、システム構成部２４によってシステムが構築される。ユーザーの支払うシステムレンタル料は、本レンタルシステムの主催者とユーザーの求めるシステムを構築するためのハードウエアやソフトウエアを提供した本レンタルシステムの参加者が所定の割合で受け取るように構成されている。
【００１７】
【発明の効果】
本発明は上述の如く構成したので、高価なハードウエア処理装置の所有者は、装置を遊ばせておくことなく、レンタルすることで利益を得ることができる。また、時間を決めてレンタルすれば、自分が使用しながら装置を他人にも有償で利用させることができ、装置の有効利用が可能となる等の効果がある。
【図面の簡単な説明】
【図１】本発明であるデータ処理システムのブロック説明図である。
【図２】本発明に使用される検索・分配エンジンの機能ブロック説明図である。
【図３】本発明によるシステム構成例を示す説明図である。
【符号の説明】
２      検索・分配エンジン
４      インターネット
６      レンタルエンジン
８      レンタルエンジン
１０    レンタルエンジン
１２    タグ
１４    データベース装置
１６    端末
１８    端末
２０    ホームページ
２２    入出力部
２４    システム構成部
２６    タグ検索部
２８    システムデータ表示部
３０    課金処理部
３２    システム制御部
３４    高速フーリエ変換装置
３６    グラフィック表示装置
【図１】
2004164366.tif 000003
【図２】
2004164366.tif 000004
【図３】
2004164366.tif 000005